(57)【要約】【課題】内部に収容された各々の筆記具をスムーズに取り出すことができ、且つ、胴部の強度を向上させることができる筆記具用箱を提供する。【解決手段】角筒状の胴部３と、胴部３の上端に形成した蓋部５と、胴部３の下端に形成した底部４と、胴部３内に挿入される内装体６とからなる。胴部３上部と蓋部５とが、胴部３の背面で折り曲げ自在に接続されるヒンジ蓋８を構成する。ヒンジ蓋８の開放時、内装体６が外部に露出し、ヒンジ蓋８の閉鎖時、内装体６の外面がヒンジ蓋８の内面と係止する。内部に複数の筆記具７を横一列に収容する。胴部３、蓋部５、及び底部４を構成する紙の坪量が３５０ｇ／ｍ２以上である。【選択図】  図４
2011195171.tif 000002
【特許請求の範囲】
【請求項１】
角筒状の胴部と、前記胴部の上端に形成した蓋部と、前記胴部の下端に形成した底部と、前記胴部内に挿入される内装体とからなり、前記胴部上部と前記蓋部とが、前記胴部の背面で折り曲げ自在に接続されるヒンジ蓋を構成し、前記ヒンジ蓋の開放時、前記内装体が外部に露出し、前記ヒンジ蓋の閉鎖時、前記内装体の外面がヒンジ蓋の内面と係止してなる、複数の筆記具を収容してなる紙製の筆記具用箱であって、
内部に複数の筆記具を横一列に収容し、前記胴部、前記蓋部、及び前記底部を構成する紙の坪量が３５０ｇ／ｍ２以上であることを特徴とする筆記具用箱。
【請求項２】
前記内装体を構成する紙の坪量が３５０ｇ／ｍ２以上である請求項１記載の筆記具用箱。
【請求項３】
前記内装体の中央部に、内側に折り曲げられた切り込み片を設け、前記切り込み片が前記胴部の正面と背面を支持してなる請求項１または２記載の筆記具用箱。
【請求項４】
前記胴部の表面に合成樹脂製フィルムを貼着してなる請求項１乃至３のいずれかに記載の筆記具用箱。
【請求項５】
前記内装体の上部中央にスリットを形成し、前記ヒンジ蓋の正面の下端部中央に係止片を形成し、前記ヒンジ蓋の閉鎖時、前記スリットに前記係止片を差込係止可能に構成した請求項１乃至４のいずれかに記載の筆記具用箱。
【発明の詳細な説明】
【技術分野】
【０００１】
本発明は、筆記具用箱に関する。詳細には、複数の筆記具を横一列に収容する紙製の筆記具用箱に関する。
【背景技術】
【０００２】
従来、複数の筆記具を収容する、ヒンジ蓋を備えた筆記具用箱が知られている（例えば、特許文献１）。
【先行技術文献】
【特許文献】
【０００３】
【特許文献１】特開２００８−２８４８４５号公報
【発明の概要】
【発明が解決しようとする課題】
【０００４】
前記従来の筆記具用箱は、複数の筆記具を正面側と背面側の前後に重なるように横２列に収容する構成が記載されている。前記筆記具用箱において、背面側（ヒンジ蓋側）の筆記具をスムーズに取り出すことができないおそれがある。
【０００５】
本発明は前記従来の問題点を解決するものであって、内部に収容された各々の筆記具をスムーズに取り出すことができ、且つ、胴部の強度を向上させることができる筆記具用箱を提供しようとするものである。
【課題を解決するための手段】
【０００６】
＜１＞本願の第１の発明は、角筒状の胴部３と、前記胴部３の上端に形成した蓋部５と、前記胴部３の下端に形成した底部４と、前記胴部３内に挿入される内装体６とからなり、前記胴部３上部と前記蓋部５とが、前記胴部３の背面で折り曲げ自在に接続されるヒンジ蓋８を構成し、前記ヒンジ蓋８の開放時、前記内装体６が外部に露出し、前記ヒンジ蓋８の閉鎖時、前記内装体６の外面がヒンジ蓋８の内面と係止してなる、複数の筆記具７を収容してなる紙製の筆記具用箱であって、内部に複数の筆記具７を横一列に収容し、前記胴部３、前記蓋部５、及び前記底部４を構成する紙の坪量が３５０ｇ／ｍ２以上（好ましくは４００ｇ／ｍ２以上）であることを要件とする。
【０００７】
前記第１の発明の筆記具用箱１は、内部に複数の筆記具７を横一列に収容することによって、内部に収容された各々の筆記具７をスムーズに取り出すことができる。また、前記第１の発明の筆記具用箱１は、前記胴部３、前記蓋部５、及び前記底部４を構成する紙の坪量が３５０ｇ／ｍ２以上（好ましくは４００ｇ／ｍ２以上）であることにより、胴部３の強度が向上し、胴部３を把持した際に胴部３が内側に変形することを抑止できる。
【０００８】
＜２＞本願の第２の発明は、前記第１の発明の筆記具用箱１において、前記内装体６を構成する紙の坪量が３５０ｇ／ｍ２以上（好ましくは４００ｇ／ｍ２以上）であることを要件とする。
【０００９】
前記第２の発明の筆記具用箱１は、内装体６を構成する紙の坪量が３５０ｇ／ｍ２以上（好ましくは４００ｇ／ｍ２以上）であることによって、胴部３の強度が一層向上し、胴部３を把持した際に胴部３が内側に変形することを抑止できる。
【００１０】
＜３＞本願の第３の発明は、前記第２または第３の発明の筆記具用箱１において、前記内装体６の中央部に、内側に折り曲げられた切り込み片６７を設け、前記切り込み片６７が前記胴部３の正面と背面を支持してなることを要件とする。
【００１１】
前記第３の発明の筆記具用箱１は、前記内装体６の中央部に、内側に折り曲げられた切り込み片６７を設け、前記切り込み片６７が前記胴部３の正面と背面を支持してなることにより、胴部３の強度が一層向上し、胴部３を把持した際に胴部３が内側に変形すること抑止できる。
【００１２】
＜４＞本願の第４の発明は、前記第１、第２または第３の発明の筆記具用箱１において、前記胴部３の表面に合成樹脂製フィルムを貼着してなることを要件とする。
【００１３】
前記第４の発明の筆記具用箱１は、前記胴部３の表面に合成樹脂製フィルムを貼着してなることにより、胴部３の強度が一層向上し、胴部３を把持した際に胴部３が内側に変形すること抑止できる。
【００１４】
＜５＞本願の第４の発明は、前記第１、第２、第３または第４の発明の筆記具用箱１において、前記内装体６の上部中央にスリット６５を形成し、前記ヒンジ蓋８の正面の下端部中央に係止片８１を形成し、前記ヒンジ蓋８の閉鎖時、前記スリット６５に前記係止片８１を差込係止可能に構成したことを要件とする。
【００１５】
前記第５の発明の筆記具用箱１は、胴部３の強度が向上することによって、繰り返しの係脱に対する耐久性が向上する。また、前記第５の発明の筆記具用箱１は、内装体６の強度が向上することによって、繰り返しの係脱に対する耐久性が向上する。また、前記第５の発明の筆記具用箱１は、胴部３及び内装体６の強度が向上することによって、繰り返しの係脱に対する耐久性が向上する。
【発明の効果】
【００１６】
本発明の筆記具用箱は、内部に収容された各々の筆記具をスムーズに取り出すことができ、且つ、胴部の強度を向上させることができる。
【図面の簡単な説明】
【００１７】
【図１】本発明の実施の形態の箱本体及び内装体の分解斜視図である。
【図２】本発明の実施の形態の箱本体内に内装体及び筆記具を収容した状態を示す斜視図である。
【図３】本発明の実施の形態の箱本体内に内装体及び筆記具を収容した後、蓋部５を形成した状態を示す斜視図である。
【図４】本発明の実施の形態のヒンジ蓋を開放した状態を示す斜視図である。
【図５】本発明の実施の形態のヒンジ蓋を閉鎖した状態を示す斜視図である。
【発明を実施するための形態】
【００１８】
図１及び図２に本発明の実施の形態を示す。
【００１９】
本発明の実施の形態の筆記具用箱１を、図１乃至図５に示す。
本実施の形態の筆記具用箱１は、角筒状の胴部３と、前記胴部３の上端に形成した蓋部５と、前記胴部３の下端に形成した底部４とからなる紙製の箱本体２と、前記箱本体２内に挿入され且つ下端が底部４内面に当接する横断面コ字状の紙製の内装体６とからなる。前記箱本体２（胴部３、蓋部５、及び底部４）、及び内装体６を構成する紙の坪量は、３５０ｇ／ｍ２以上（好ましくは４００ｇ／ｍ２以上）である。前記箱本体２の表面には、合成樹脂製フィルム（例えばポリプロピレン製フィルム）が貼着される。
【００２０】
・胴部
前記胴部３は、正面板３１と、該正面板３１と対向する背面板３２と、前記正面板３１と前記背面板３２とを接続し且つ互いに対向する第１側面板３３と第２側面板３４とからなる。前記正面板３１、前記第１側面板３３、前記第２側面板３４には、ミシン目３５が形成される。前記正面板３１の下部には横方向（左右方向）に延びる窓孔３６が形成される。
【００２１】
前記蓋部５は、正面板３１の上端に連設された蓋板片５１と、前記蓋板片５１の外側端部に連設された折込片５２と、第１側面板３３の上端に連設され且つ蓋板片５１に貼着される第１耳片５３と、第２側面板３４の上端に連設され且つ蓋板片５１に貼着される第２耳片５４とからなる。
【００２２】
・内装体
前記内装体６は、横断面コ字状に折り曲げ形成される。前記内装体６は、中央板６１と、該中央板６１の右側に折り曲げ状に連設される第１側板６２、該中央板６１の左側に折り曲げ状に連設される第２側板６３とからなる。
【００２３】
前記内装体６の中央部（即ち中央板６１の中央部）には、切り込み片６７が内側に折り曲げられて設けられる。前記内装体６を前記胴部３内に収容した際、前記切り込み片６７が前記胴部３の正面板３１と背面板３２を支持してなる。
【００２４】
前記中央板６１の上端部中央には切り欠き６４が形成される。前記中央板６１の上部中央（即ち切り欠き６４の下方）にはスリット６５が形成される。前記中央板６１の下部には横方向（左右方向）に延びる窓孔６６が形成される。前記内装体６を前記胴部３内に収容した際、前記内装体６の窓孔６６と、前記胴部３の窓孔３６とが一致（即ち連通）し、前記内装体６の窓孔６６と前記胴部３の窓孔３６とを通して内部に収容された複数の筆記具７の各々が外部より視認可能となる。
【００２５】
・内装体の挿入
前記角筒状に形成した胴部３に内部に、上方より前記内装体６が挿入される。内装体６の下端は、底部４内面に当接される。（図１参照）
【００２６】
・筆記具の挿入
前記内装体６を内部に備えた筆記具用箱１に、複数本の筆記具７を、キャップ側を上にして横一列に収容する。前記各々の筆記具７のキャップの上端面には、インキ色またはペン先種類を識別する表示が設けられる。（図２参照）
【００２７】
・蓋部の形成
筆記具７を収容した後、第１耳片５３と第２耳片５４とを蓋板片５１に貼着し、折込片５２を第１耳片５３及び第２耳片５４と背面板３２内面との隙間に差し込み係止し、胴部３の上端に蓋部５が形成される。本発明の筆記具用箱１は、製造後、この状態で出荷され、ユーザーが使用開始するまでこの状態が維持される（図３参照）。
【００２８】
・ヒンジ蓋
本実施の形態の筆記具用箱１をユーザーが使用開始する際、前記ミシン目３５に沿って切断することにより、胴部３上部と蓋部５とが、胴部３の背面板３２に接続されるヒンジ蓋８８を構成する。前記ヒンジ蓋８の正面下端中央には、係止片８１が突出形成される。前記ヒンジ蓋８の開放時、内装体６が外部に露出される。前記ヒンジ蓋８の閉鎖時、内装体６の外面がヒンジ蓋８の内面と係止されるとともに、係止片８１がスリット６５に差し込み係止される。前記背面板３２の表面には、合成樹脂製フィルムが貼着されているため、ヒンジ蓋８の開閉による繰り返しの屈曲に対する耐久性が増す。
【符号の説明】
【００２９】
１  筆記具用箱
２  箱本体
３  胴部
３１  正面板
３２  背面板
３３  第１側面板
３４  第２側面板
３５  ミシン目
３６  窓孔
４  底部
５  蓋部
５１  蓋板片
５２  折込片
５３  第１耳片
５４  第２耳片
６  内装体
６１  中央板
６２  第１側板
６３  第２側板
６４  切り欠き
６５  スリット
６６  窓孔
６７  切り込み片
７  筆記具
８  ヒンジ蓋
８１  係止片
【図１】
2011195171.tif 000003
【図２】
2011195171.tif 000004
【図３】
2011195171.tif 000005
【図４】
2011195171.tif 000006
【図５】
2011195171.tif 000007